(57)【要約】【課題】弁軸を軸受孔に挿入した状態を一旦機械的に保持する仮止め工程と，弁軸にスラストストッパを装着する工程を別々に行い得るようにした，組立性が良好なエンジンの吸気量制御装置を提供する。【解決手段】スロットルレバー１２及びスロットルボディ１間に，戻しばね１５をスロットルボディ１及びスロットルレバー１２間に接続しながら弁軸７をスロットルボディ１の軸受孔５，６に挿入したとき，戻しばね１５の閉弁付勢力及びスラスト付勢力を受け止めてスラスト付勢力による弁軸７の離脱を阻止する仮止め機構３２を設けた。【選択図】      図４
2015172365.tif 000002
【特許請求の範囲】
【請求項１】
吸気道（２）を有するスロットルボディ（１）と，吸気道（２）を挟んでスロットルボディ（１）に設けられる一対の軸受孔（５，６）に支持されて吸気道（２）を横断し，一端にスロットルレバー（１２）を一体に有する弁軸（７）と，この弁軸（７）に取り付けられ，弁軸（７）の回転により吸気道（２）を開閉するスロットル弁（１０）と，前記弁軸（７）の他端に連結されて前記スロットル弁（１０）の開度を検出するスロットルセンサ（２８）と，前記スロットルレバー（１２）及びスロットルボディ（１）間に接続されて，前記スロットルレバー（１２）をスロットル弁（１０）の閉じ方向に付勢する閉弁付勢力，並びにスロットルレバー（１２）を軸方向外方に付勢するスラスト付勢力を付与された戻しばね（１５）と，この戻しばね（１５）のスラスト付勢力による前記弁軸（７）の軸方向の動きを規制すべく，前記スロットルレバー（１２）と反対側のスロットルボディ（１）の外側面に当接するように前記弁軸（７）に装着されるスラストストッパ（１８）と，前記スロットルレバー（１２）に設けられる可動ストッパ（２１）と，この可動ストッパ（２１）に対向するようにスロットルボディ（１）に一体に形成される固定ストッパ（２２）と，この固定ストッパ（２２）に螺着され，前記可動ストッパ（２１）を前記戻しばね（１５）の閉弁付勢力に抗して受け止めて，前記スロットル弁（１０）のアイドル開度を調整する調整ボルト（２５）とを備える，エンジンの吸気量制御装置において，
前記スロットルレバー（１２）及びスロットルボディ（１）間に，前記戻しばね（１５）をスロットルボディ（１）及びスロットルレバー（１２）間に接続しながら前記弁軸（７）を前記軸受孔（５，６）に挿入したとき，前記戻しばね（１５）の前記閉弁付勢力及び前記スラスト付勢力を受け止めて該スラスト付勢力による前記弁軸（７）の離脱を阻止する仮止め機構（３２）を設けたことを特徴とする，エンジンの吸気量制御装置。
【請求項２】
請求項１記載のエンジンの吸気量制御装置において，
前記仮止め機構（３２）を，前記可動ストッパ（２１）と，この可動ストッパ（２１）を介して前記戻しばね（１５）の前記閉弁付勢力を受け止める前記固定ストッパ（２２）と，この固定ストッパ（２２）に形成され，前記可動ストッパ（２１）の軸方向外端面に当接することで前記弁軸（７）の離脱を阻止する規制突起（３３）とで構成したことを特徴とする，エンジンの吸気量制御装置。
【発明の詳細な説明】
【技術分野】
【０００１】
本発明は，エンジンの吸気量制御装置に関し，特に，吸気道を有するスロットルボディと，吸気道を挟んでスロットルボディに設けられる一対の軸受孔に支持されて吸気道を横断し，一端にスロットルレバーを一体に有する弁軸と，この弁軸に取り付けられ，弁軸の回転により吸気道を開閉するスロットル弁と，前記弁軸の他端に連結されて前記スロットル弁の開度を検出するスロットルセンサと，前記スロットルレバー及びスロットルボディ間に接続されて，前記スロットルレバーをスロットル弁の閉じ方向に付勢する閉弁付勢力，並びにスロットルレバーを軸方向外方に付勢するスラスト付勢力を付与された戻しばねと，この戻しばねのスラスト付勢力による前記弁軸の軸方向の動きを規制すべく，前記スロットルレバーと反対側のスロットルボディの外側面に当接するように前記弁軸に装着されるスラストストッパと，前記スロットルレバーに設けられる可動ストッパと，この可動ストッパに対向するようにスロットルボディに一体に形成される固定ストッパと，この固定ストッパに螺着され，前記可動ストッパを前記戻しばねの閉弁付勢力に抗して受け止めて，前記スロットル弁のアイドル開度を調整する調整ボルトとを備えるものゝ改良に関する。
【背景技術】
【０００２】
かゝるエンジンの吸気量制御装置は，特許文献１に開示されるように，既に知られている。
【先行技術文献】
【特許文献】
【０００３】
【特許文献１】特開２００７−６４０１４号公報
【発明の概要】
【発明が解決しようとする課題】
【０００４】
かゝる吸気量制御装置の組み立てに当たっては，先ず，戻しばねをスロットルボディ及びスロットルレバー間に接続しながら弁軸をスロットルボディの軸受孔に挿入し，特に，戻しばねのスラスト付勢力に抗して弁軸を軸受孔に充分に押し込んだ後，スロットルレバーと反対側で弁軸にスラストストッパを装着して，弁軸の軸受孔からの離脱を阻止し，しかる後，弁軸にスロットル弁を取り付け，固定ストッパに調整ボルトを螺合して可動ストッパを受け止め，この調整ボルトの進退調節により可動ストッパの位置，即ちスロットル弁のアイドル開度を調整する。
【０００５】
ところで，従来では，作業員が戻しばねのスラスト付勢力に抗して弁軸を軸受孔に充分に押し込んだ状態を片手で保持しながら，もう一方の片手でスラストストッパを準備し，これを弁軸に装着していたので，組立性が悪いのみならず，作業員の負担が大きかった。
【０００６】
本発明は，かゝる事情に鑑みてなされたもので，弁軸を軸受孔に挿入した状態を一旦機械的に保持する仮止め工程と，弁軸にスラストストッパを装着する工程を別々に行い得るようにした，組立性が良好な前記エンジンの吸気量制御装置を提供することを目的とする。
【課題を解決するための手段】
【０００７】
上記目的を達成するために，本発明は，吸気道を有するスロットルボディと，吸気道を挟んでスロットルボディに設けられる一対の軸受孔に支持されて吸気道を横断し，一端にスロットルレバーを一体に有する弁軸と，この弁軸に取り付けられ，弁軸の回転により吸気道を開閉するスロットル弁と，前記弁軸の他端に連結されて前記スロットル弁の開度を検出するスロットルセンサと，前記スロットルレバー及びスロットルボディ間に接続されて，前記スロットルレバーをスロットル弁の閉じ方向に付勢する閉弁付勢力，並びにスロットルレバーを軸方向外方に付勢するスラスト付勢力を付与された戻しばねと，この戻しばねのスラスト付勢力による前記弁軸の軸方向の動きを規制すべく，前記スロットルレバーと反対側のスロットルボディの外側面に当接するように前記弁軸に装着されるスラストストッパと，前記スロットルレバーに設けられる可動ストッパと，この可動ストッパに対向するようにスロットルボディに一体に形成される固定ストッパと，この固定ストッパに螺着され，前記可動ストッパを前記戻しばねの閉弁付勢力に抗して受け止めて，前記スロットル弁のアイドル開度を調整する調整ボルトとを備える，エンジンの吸気量制御装置において，前記スロットルレバー及びスロットルボディ間に，前記戻しばねをスロットルボディ及びスロットルレバー間に接続しながら前記弁軸を前記軸受孔に挿入したとき，前記戻しばねの前記閉弁付勢力及び前記スラスト付勢力を受け止めて該スラスト付勢力による前記弁軸の離脱を阻止する仮止め機構を設けたことを第１の特徴とする。
【０００８】
また本発明は，第１の特徴に加えて，前記仮止め機構を，前記可動ストッパと，この可動ストッパを介して前記戻しばねの前記閉弁付勢力を受け止める前記固定ストッパと，この固定ストッパに形成され，前記可動ストッパの軸方向外端面に当接することで前記弁軸の離脱を阻止する規制突起とで構成したことを第２の特徴とする。
【発明の効果】
【０００９】
本発明の第１の特徴によれば，弁軸を軸受孔への挿入した状態に保持する仮止め機構の採用により，吸気量制御装置の組立時，弁軸の挿入，仮止め工程とスラストストッパの装着工程とに分けることができ，これにより作業能率が向上し，組立タイムサイクルの短縮を図ることができる。
【００１０】
本発明の第２の特徴によれば，上記仮止め機構に可動ストッパ及び固定ストッパをそのまゝ利用でき，その構造の簡素化を図ることができて，コストの上昇を抑え得る。
【図面の簡単な説明】
【００１１】
【図１】本発明の実施形態に係るエンジンの吸気量制御装置の全縦断側面図。
【図２】上記吸気量制御装置の一部縦断側面図。
【図３】図２の３矢視図。
【図４】上記吸気量制御装置の組立過程説明図。
【発明を実施するための形態】
【００１２】
本発明の実施の形態を添付図面に基づいて以下に説明する。
【００１３】
先ず図１〜図３において，本発明の吸気量制御装置Ｄは，主として自動二輪車用エンジンに用いられるもので，エンジンに取り付けられるスロットルボディ１を備える。このスロットルボディ１は中心部に吸気道２を有し，この吸気道２は，スロットルボディ１の下流端に接続される吸気管Ｉを介してエンジンの吸気ポート（図示せず）に連通する。
【００１４】
スロットルボディ１の，吸気道２を挟んで対向する左右両側壁には，それぞれ外方に突出する第１及び第２軸受ボス３，４が形成されており，これら軸受ボス３，４の同軸に並ぶ水平方向の軸受孔５，６により，吸気道２を横断する弁軸７が回転自在に支持される。第１及び第２軸受ボス３，４と弁軸７との各間にはシール部材８，９がそれぞれ介装される。
【００１５】
弁軸７の一端には，ドラム型のスロットルレバー１２が予め一体的に結合されており，弁軸７及びスロットルレバー１２は単一部品となっている。また弁軸７には，この弁軸７の回転に応じて吸気道２を開閉するバタフライ型のスロットル弁１０がビス１１により固着される。このスロットル弁１０は，自動二輪車の操縦者が操作するスロットルグリップ（図示せず）により操作ワイヤ１３を介してスロットルレバー１２を回動することで，開閉される。
【００１６】
スロットルボディ１及びスロットルレバー１２間には，第１軸受ボス３を囲繞する戻しばね１５が接続される。この戻しばね１５は，一端をスロットルボディ１の第１係止部１６に係止し，他端をスロットルレバー１２の第２係止部１７に係止した捩じりコイルばねよりなるもので，この戻しばね１５には，スロットルレバー１２をスロットル弁１０の閉じ方向に付勢する閉弁付勢力，並びにスロットルレバー１２を軸方向外方に付勢するスラスト付勢力が付与される。
【００１７】
そのスラスト付勢力に抗して弁軸７を所定の軸方向位置に保持すべく，第２軸受ボス４の外端面に当接するスラストストッパ１８が弁軸７外周の係止溝１９に装着される。このスラストストッパ１８には，例えばサークリップが使用される。
【００１８】
スロットルボディ１及びスロットルレバー１２間には，スロットル弁１０のアイドル開度を調整するアイドル調整装置２０が設けられる。このアイドル調整装置２０は，スロットルレバー１２の外周より第１軸受ボス３側に屈曲してなる逆Ｔ字状の可動ストッパ２１と，スロットルボディ１の，第１軸受ボス３側の側面に一体に立設されて可動ストッパ２１の先端部に対向する固定ストッパ２２と，この固定ストッパ２２のねじ孔２４に螺着され，戻しばね１５の閉弁付勢力に抗して可動ストッパ２１を受け止める調整ボルト２５で構成される。調整ボルト２５にはロックナット２６が螺着される。
【００１９】
第２軸受ボス４には制御ブロック２７が接合され，この制御ブロック２７には，弁軸７の他端に連結されてスロットル弁１０の開度を検出するスロットルセンサ２８と，スロットル弁１０より上流側の吸気道２で吸気の温度を検出する吸気温センサ２９とが装備される。
【００２０】
図４に示すように，スロットルボディ１及びスロットルレバー１２間には仮止め機構３２が設けられ，この仮止め機構３２は，戻しばね１５をスロットルボディ１及びスロットルレバー１２間に接続しながら弁軸７を軸受孔５，６に挿入したとき，戻しばね１５の前記閉弁付勢力及び前記スラスト付勢力を受け止めて該スラスト付勢力によるによる弁軸７の離脱を阻止するものである。具体的には，この仮止め機構３２は，逆Ｔ字状の前記可動ストッパ２１と，この可動ストッパ２１を介して戻しばね１５の前記閉弁付勢力を受け止める前記固定ストッパ２２と，この固定ストッパ固定ストッパ２２に形成され，可動ストッパ２１の先端部の軸方向外端面に当接することで弁軸７の離脱を阻止する規制突起３３とで構成される。
【００２１】
次に，この実施例の作用について説明する。
【００２２】
吸気量制御装置Ｄの組み立てに当たっては，下記工程を順次行う。
［弁軸７の挿入，仮止め工程］
先ず，戻しばね１５をスロットルボディ１及びスロットルレバー１２間に接続しながら弁軸７をスロットルボディの軸受孔５，６に挿入し，スロットルレバー１２を戻しばね１５のスラスト付勢力に抗して，スロットルレバー１２の逆Ｔ字状の可動ストッパ２１の下端部が固定ストッパ２２の規制突起３３よりも下方に行くよう，充分に押し下げる。その際，固定ストッパ２２には，まだ調整ボルト２５を螺合してはおかない。また弁軸７の軸受孔５，６への挿入時には，可動ストッパ２１が固定ストッパ２２と干渉しない位置を選ぶことは勿論である。
【００２３】
スロットルレバー１２を充分に押し下げた後は，戻しばね１５の閉弁付勢力を利用しながら，可動ストッパ２１の先端部を，規制突起３３より下方の，固定ストッパ２２の側面に当接させた後，スロットルレバー１２の押し下げ力を解除する。すると，戻しばね１５のスラスト付勢力によりスロットルレバー１２が弁軸７と共に押し上げられるが，図４に示すように，可動ストッパ２１の下端部の上面が固定ストッパ２２の規制突起３３に係合することで，スロットルレバー１２の上方移動は直ちに停止し，戻しばね１５のスラスト付勢力による弁軸７の軸受孔５，６からの離脱を阻止することができ，弁軸７は仮止め状態となる。したがって，作業者がスロットルレバー１２を押し続けることなく，弁軸７付きのスロットルボディ１を次工程に移すことができる。
［スラストストッパ１８の装着工程］
この工程では，スラストストッパ１８を準備しておき，もう一度，スロットルレバー１２を押し下げて，弁軸７上の係止溝１９を第２軸受ボス４の外端面外に露出させ，その係止溝１９にスラストストッパ１８を装着する。そこで，スロットルレバー１２の押し下げ力を解除すると，スラストストッパ１８が第２軸受ボス４の外端面に当接することで，戻しばね１５のスラスト付勢力による弁軸７の軸方向移動が阻止され，その軸方向位置が決定される。その際，可動ストッパ２１の先端部の上面は，固定ストッパ２２の規制突起３３から下方に離間した状態となる（図２参照）。
［スロットル弁取り付け工程］
次に，スロットルボディ１の吸気道２において，弁軸７に予め形成された所定の取り付け面にスロットル弁１０をビス１１により固着する。
［アイドル開度調整工程］
次に，固定ストッパ２２のねじ孔２４に調整ボルト２５を螺合して，その先端を固定ストッパ２２の側面より突出させて可動ストッパ２１を，戻しばね１５の閉弁付勢力に抗して受け止め，そしてその調整ボルト２５の先端を進退させて可動ストッパ２１を回転方向に進退させ，スロットル弁１０のアイドル開度を調整する。
【００２４】
その際，可動ストッパ２１の先端部の上面は，規制突起３３から下方に離れているので，アイドル開度調整時，可動ストッパ２１の先端部が規制突起３３の直下にきても，規制突起３３とは干渉せず，アイドル開度調整を行うことができる。その調整後は，調整ボルト２５をロックナット２６により固定ストッパ２２に固定する。
【００２５】
尚，［弁軸７の挿入，仮止め工程］では，弁軸７の仮止め状態で，弁軸７の係止溝１９が第２軸受ボス４の外端面外に露出させるようにすることもできる。この場合は，［スラストストッパ１８の装着工程］でスロットルレバー１２を再度押し下げることなく，係止溝１９にスラストストッパ１８を装着することができるが，［アイドル開度調整工程］が，可動ストッパ２１の先端部と規制突起３３とが干渉しない領域で行われるように，弁軸７におけるスロットル弁１０の取り付け面を設定しておく必要がある。
［制御ブロック取り付け工程］
最後に，スロットルセンサ２８及び吸気温センサ２９を装備した制御ブロック２７を第２軸受ボス４に取り付けて，吸気量制御装置Ｄの組み立ては完了する。
【００２６】
以上のように，本発明によれば，吸気量制御装置Ｄの組立時には，［弁軸７の挿入，仮止め工程］と［スラストストッパ１８の装着工程］とに分けることができ，これにより作業能率が向上し，組立タイムサイクルの短縮を図ることができる。
【００２７】
しかも，弁軸７を軸受孔５，６への挿入した状態に保持する仮止め機構３２を，可動ストッパ２１と，固定ストッパ２２に形成され，可動ストッパ２１の軸方向外端面に当接することで弁軸７の離脱を阻止する規制突起３３とで構成したので，仮止め機構３２に可動ストッパ２１及び固定ストッパ２２をそのまゝ利用でき，その構造の簡素化を図ることができて，コストの上昇を抑え得る。
【００２８】
以上，本発明の実施形態について説明したが，本発明はそれに限定されることなく，その要旨を逸脱しない範囲で種々の設計変更が可能である。
【符号の説明】
【００２９】
Ｄ・・・・・吸気量制御装置
１・・・・・スロットルボディ
２・・・・・吸気道
５，６・・・軸受孔
７・・・・・弁軸
１０・・・・スロットル弁
１２・・・・スロットルレバー
１５・・・・戻しばね
１８・・・・スラストストッパ
２１・・・・可動ストッパ
２２・・・・固定ストッパ
２５・・・・調整ボルト
２８・・・・スロットルセンサ
３２・・・・仮止め機構
３３・・・・規制突起
【図１】
2015172365.tif 000003
【図２】
2015172365.tif 000004
【図３】
2015172365.tif 000005
【図４】
2015172365.tif 000006